(57)【要約】【課題】多段式箸体の回転固定の施力を制御可能で、容器の転がり移動を防止可能なステンレス箸セットを提供する。【解決手段】多段式の箸体１及び容器２を含み、箸体１は外径が相対的に徐々に縮小し、相互に伸縮嵌合する第一棒部分１１、第二棒部分１２、第三棒部分１３を含む。第一、第二棒部分１１、１２は中空を呈し徐々に縮小し、両端にはそれぞれ開口端１１１、１２１及び収縮端１１３、１２５を形成する。第三棒部分１３は、上端には開口端を形成し、下端には若干の凹槽を具えた挟持部を環状設置する。各棒部分は伸出後、開口端は反対の棒部分の収縮端内に定位される。容器２内部には数個の収容槽２１及び収容槽２１Ａを設置し、箸体１をその中に入れる。容器２外型は底部及び頂点部を含み、該容器２の底部はサポート平面２２で、頂点部は陥没面２３を呈する。別に蓋体２４を設置し、収容槽２１及び収容槽２１Ａを蓋合する。【選択図】図１
0003123595.tif 000002
【実用新案登録請求の範囲】
【請求項１】
箸体を備え、
該箸体は少なくとも二段以上の棒部分を有し、該各棒部分は中空を呈し徐々に縮小し、該各棒部分の両端にはそれぞれ開口端と収縮端を形成し、該各棒部分の外径は相対的に徐々に縮小し、相互に嵌合伸縮し、該各２本が接合した棒部分は該棒部分の開口端により反対の棒部分の収縮端内に定位されていることを特徴とするステンレス箸セット。
【請求項２】
前記箸体は第一棒部分、第二棒部分、第三棒部分を含むことを特徴とする請求項１記載のステンレス箸セット。
【請求項３】
前記第二棒部分の開口端内縁には挿入棒が固定されていることを特徴とする請求項２記載のステンレス箸セット。
【請求項４】
前記棒部分の中央部分には凹槽を具えた握持部が環状に設置されていることを特徴とする請求項１記載のステンレス箸セット。
【請求項５】
前記棒部分の下端には凹槽を具えた挟持部が環状に設置されていることを特徴とする請求項１記載のステンレス箸セット。
【請求項６】
内部に請求項１から５のいずれか一項記載のステンレス箸セットを収容可能な収容槽が設置されている容器であって、
底部と頂点部とを具え、該底部にはサポート平面が設置され、該頂点部は陥没面を呈することを特徴とするステンレス箸セットを収容可能な容器。
【請求項７】
収容槽を覆う蓋体が設置されていることを特徴とする請求項６記載の容器。
【請求項８】
前記収容槽は爪楊枝を収容可能であることを特徴とする請求項６記載の容器。
【考案の詳細な説明】
【技術分野】
【０００１】
本考案は、ステンレス箸セットに関する。特にその容器は伸縮収納可能な多段式箸体を収容し、しかも容器底部は転がり移動を防止可能で、頂点部は箸体を収納可能であるステンレス箸セットに関する。
【背景技術】
【０００２】
現在の多段式ステンレス箸セットの箸体結合方式は多段式螺接嵌合で、しかも収容する容器は円型ソケットである。
【考案の開示】
【考案が解決しようとする課題】
【０００３】
箸体を取り出し使用するとき、その容器は通常はテーブル面に置かれるが、使用時には以下の状況が発生する。
１、ステンレス箸を組み合わせる時、回転固定の施力の制御が不適当であれば、しばしばネジ山は崩れ、緩んでしまう。
２、容器は円型ソケットであるため、転がり移動し定位が容易でなく、テーブル面に置かれると転がり落下し易い。
【０００４】
したがって本考案の目的は、多段式箸体の回転固定の施力を制御可能で、容器の転がり移動を防止可能なステンレス箸セットを提供することにある。
【課題を解決するための手段】
【０００５】
上述の目的を達成するために本考案の請求項に記載のステンレス箸セットは、伸縮収納可能な多段式箸体を収容し、しかも容器は箸体を収容するほかに、転がり移動防止機能を具える。
それは箸体を具え、箸体は多段式の棒部分を設置し、各棒部分の外径は相対的に徐々に縮小し、相互に伸縮嵌合する。しかも各棒部分は中空を呈し徐々に縮小し、両端にはそれぞれ開口端及び収縮端を形成する。各棒部分は伸出後、開口端は反対の棒部分の収縮端内に定位される。
【０００６】
すなわちそれは箸体を具え、該箸体は多段式の棒部分を設置し、該各棒部分の外径は相対的に徐々に縮小し、相互に伸縮嵌合する。しかも該各棒部分は中空を呈し徐々に縮小し、両端にはそれぞれ開口端及び收縮端を形成し、該各棒部分は伸出後、該開口端は反対の棒部分の收縮端内に定位される。
【０００７】
またそのステンレス箸セットの箸体は第一棒部分、第二棒部分、第三棒部分を含み、相互に伸縮嵌合する。
さらにそのステンレス箸セットの該第二棒部分の開口端内縁には挿入棒を固定し、該ステンレス箸セットの中棒部分の中央部分には若干の凹槽を具えた握持部を環状に設置し、握持に便利である。
加えてそのステンレス箸セットの中棒部分の下端には若干の凹槽を具えた挟持部を環状設置し、料理をつまむ時の便を図る。
【０００８】
さらに本考案の構造は箸体と容器を含み、内部には収容槽を設置し、箸体をその中に収容し、該容器は底部と頂点部を含み、該底部にはサポート平面を設置し、該頂点部は陥没面を呈する。
該ステンレス箸組を収容する容器は蓋体を設置し収容槽を蓋合する。
該ステンレス組を収容する容器の収容槽内には爪楊枝を収容する。
【考案の効果】
【０００９】
上述のように、本考案はステンレス箸の收納時に、第二棒部分上端の挿入棒は第三棒部分を第二棒部分内部に入れるため、使用者は手で直接第二棒部分下端を押す必要はないため手を傷める恐れがない。さらに容器底面にはサポート点を具えるため、安定的に置くことが可能で、転がり移動することがなく、また容器頂点部には陥没面を設置し、箸枕としての役割を果たすことが可能である。加えて容器内部には箸体を収納可能である他、爪楊枝を収容する空間を設置することも可能である。
【考案を実施するための最良の形態】
【００１０】
以下、本考案の実施例を図面に基づいて説明する。
図１に示すように、本考案の実施例は多段式の箸体１及び容器２を含む。
該箸体１は第一棒部分１１、第二棒部分１２、第三棒部分１３を含む。該第一棒部分１１、該第二棒部分１２、該第三棒部分１３の外径は相対的に徐々に縮小し、相互に伸縮嵌合する。
該第一棒部分１１は中空を呈し徐々に縮小し、上端には開口端１１１を設置し、上蓋１１２をその中に螺接し、下端には收縮端１１３を形成する。
【００１１】
該第二棒部分１２は該第一棒部分１１内に嵌合し、中空を呈し徐々に縮小し、上端には開口端１２１を形成する。該開口端１２１は内縮し適当な位置に固定孔１２２を穿設し、挿入棒１２３を固定する。中段には若干の凹槽を具えた握持部１２４を環状に設置し、握持に便利で、下端には收縮端１２５を形成する。該第三棒部分１３は該第二棒部分１２内に嵌合し、中空を呈し徐々に縮小し、上端には開口端１３１を形成し、下端には若干の凹槽を具えた挟持部１３２を環状設置し、料理をつまむ時の便を図る。
【００１２】
該容器２内部には数個の収容槽２１及び収容槽２１Ａを設置し、該箸体１をその中に入れる。該容器２外型は底部及び頂点部を含み、該容器２の底部はサポート平面２２で、頂点部は陥没面２３を呈する。別に蓋体２４を設置し、収容槽２１及び収容槽２１Ａを蓋合する。
【００１３】
収納時には、図２、図３に示すように、該第三棒部分１３を該第二棒部分１２上端の開口端１２１より入れ、これにより該第三棒部分１３の挟持部１３２は該第二棒部分１２下方の收縮端１２５より可動伸出する。さらに該第二棒部分１２開口端１２１の固定孔１２２内に該挿入棒１２３を固定する。手で収納する時、該第三棒部分１３は該第二棒部分１２の收縮端１２５より縮入後、該第三棒部分１３の開口端１３１は該挿入棒１２３より阻害され、該第三棒部分１３が該第二棒部分１２内に完全に縮入することを防止し、手が該第二棒部分１２の收縮端１２５により傷つくことを防止可能である。
【００１４】
さらに該第二棒部分１２、該第三棒部分１３は一緒に該第三棒部分１３上端の開口端１３１よりその中に入れることが可能で、これにより該第二棒部分１２の收縮端１２５は該第一棒部分１１の收縮端１１３より可動伸出する。最後に該上蓋１１２を該第一棒部分１１の開口端１１１内に螺接し、該第二棒部分１２、該第三棒部分１３が該第一棒部分１１内から脱出しないようにする。
こうして、該箸体１を完全に収納し、体積を縮小した上で、該容器２の収容槽２１内に収納し、該蓋体２４を蓋合する。
【００１５】
使用時には図４に示すように、該容器２の収容槽２１内から該箸体１を取り出し、該第三棒部分１３を該第二棒部分１２の收縮端１２５から引き出す。これにより該第三棒部分１３上端の開口端１３１は該第二棒部分１２の收縮端１２５内に定位され、さらに、該第二棒部分１２を該第一棒部分１１の收縮端１１３から引き出すと、該第二棒部分１２上端の開口端１２１は該第一棒部分１１の收縮端１１３内に定位される。
【００１６】
こうして、迅速に組合せを完成させ使用可能となり、該容器２底部のサポート平面２２をテーブル面上に置くことで、転がりを防止可能である。また該頂点部陥没面２３は該箸体１をその上に置くことが可能である。さらに該容器２の別の収容槽２１Ａ内には爪楊枝３を収容することも可能である。
【図面の簡単な説明】
【００１７】
【図１】本考案の実施例によるステンレス箸セットを示す立体分解図である。
【図２】本考案の実施例によるステンレス箸セットを示す組合せ断面図である。
【図３】図２のＡ部分の局部拡大図である。
【図４】本考案の実施例によるステンレス箸セットの使用前の指示図である。
【符号の説明】
【００１８】
２  容器、３  爪楊枝、１１  第一棒部分、１２  第二棒部分、１３  第三棒部分、２１  収容槽、２１Ａ  収容槽、２２  サポート平面、２３  陥没面、２４  蓋体、１１２  上蓋、１１３  收縮端、１２１  開口端、１２２  固定孔、１２４  握持部、１２５  收縮端、１３２  挟持部
【図１】
0003123595.tif 000003
【図２】
0003123595.tif 000004
【図３】
0003123595.tif 000005
【図４】
0003123595.tif 000006